(57)【特許請求の範囲】
【請求項１】
両刃体と、刃体側に設けた支持部に対し支持部で連結された押圧操作てことを備え、この押圧操作てこにより両刃体をそれらの弾性力に抗して押さえて両刃先を互いに圧接させ得る爪切りにおいて、
前記押圧操作てこの支持部と、前記刃体側の支持部とのうち、一方の支持部は突部であり、他方の支持部はこの突部が係入される溝部であり、
この溝部は、突部を係脱し得る係脱口部と、突部を回動可能に支持し得る回動案内部と、この係脱口部と回動案内部との間で連続する係脱案内部とからなり、この係脱口部と係脱案内部と回動案内部との間で相対向する両側壁面と、この両側壁面間をつなぐ底壁面とを有している
ことを特徴とする爪切り。
【請求項２】
上刃先を有する上刃体と、この上刃先に対向する下刃先を有する下刃体とにそれらの刃先の付近で支軸を挿通して、この支軸の下端部を下刃体に係止するとともに、この支軸の上端部を上刃体上から突出させ、この上刃体上で押圧操作てこに設けた支持部と、この支軸の上端部に設けた支持部とを互いに連結し、この押圧操作てこにより上刃体を上下両刃体の弾性力に抗して押さえて上刃先と下刃先とを互いに圧接させ得る爪切りにおいて、
前記押圧操作てこの支持部と、前記刃体側の支持部とのうち、一方の支持部は突部であり、他方の支持部はこの突部が係入される溝部であり、
この溝部は、突部を係脱し得る係脱口部と、突部を回動可能に支持し得る回動案内部と、この係脱口部と回動案内部との間で連続する係脱案内部とからなり、この係脱口部と係脱案内部と回動案内部との間で相対向する両側壁面と、この両側壁面間をつなぐ底壁面とを有している
ことを特徴とする爪切り。
【請求項３】
上刃先を有する上刃体と、この上刃先に対向する下刃先を有する下刃体とにそれらの刃先の付近で支軸を挿通して、この支軸の下端部を下刃体に係止するとともに、この支軸の上端部を上刃体上から突出させ、この上刃体上で押圧操作てこに設けた両支持腕部間の支持凹部にこの支軸の上端部を挿入し、この両支持腕部に設けた支持部と、この支軸の上端部に設けた両支持部とを互いに連結し、この押圧操作てこにより上刃体を上下両刃体の弾性力に抗して押さえて上刃先と下刃先とを互いに圧接させ得る爪切りにおいて、
前記押圧操作てこの両支持腕部の支持部と、前記支軸の両支持部とのうち、一方の両支持部は突部であり、他方の両支持部はこの突部が係入される溝部であり、
この溝部は、突部を係脱し得る係脱口部と、突部を回動可能に支持し得る回動案内部と、この係脱口部と回動案内部との間で連続する係脱案内部とからなり、この係脱口部と係脱案内部と回動案内部との間で相対向する両側壁面と、この両側壁面間をつなぐ底壁面とを有している
ことを特徴とする爪切り。
【請求項４】
前記支持部としての突部は押圧操作てこの支持凹部で両支持腕部に設けられて相対向し、前記支持部としての溝部は支軸の外周両側に設けられて突部に対向していることを特徴とする請求項３に記載の爪切り。
【請求項５】
前記支軸の両溝部は係脱口部と係脱案内部と回動案内部とにわたり底壁で互いに隔てられ、
この両溝部の底壁面は係脱口部と係脱案内部と回動案内部との間でこの底壁に設けられている
ことを特徴とする請求項４に記載の爪切り。
【請求項６】
前記両溝部の底壁面間の間隔である底壁の厚みＴは、係脱口部側が回動案内部側よりも大きくなっていることを特徴とする請求項５に記載の爪切り。
【請求項７】
上刃先を有する上刃体と、この上刃先に対向する下刃先を有する下刃体とにそれらの刃先の付近で支軸を挿通して、この支軸の下端部を下刃体に係止するとともに、この支軸の上端部を上刃体上から突出させ、この上刃体上で押圧操作てこに設けた両支持腕部間の支持凹部にこの支軸の上端部を挿入し、この両支持腕部に設けた支持部と、この支軸の上端部に設けた支持部とを互いに連結し、この押圧操作てこにより上刃体を上下両刃体の弾性力に抗して押さえて上刃先と下刃先とを互いに圧接させ得る爪切りにおいて、
前記押圧操作てこの両支持腕部の支持部は、この押圧操作てこの支持凹部で両支持腕部に設けられて相対向する突部であり、前記支軸の支持部は、支軸の外周に設けられてこの突部が係入される溝部であり、
この溝部は、支軸に対し周方向の全体に連続して設けられ、突部を係脱し得る係脱口部と、突部を回動可能に支持し得る回動案内部とを有している
ことを特徴とする爪切り。
【請求項８】
上刃先を有する上刃体と、この上刃先に対向する下刃先を有する下刃体とにそれらの刃先の付近で支軸を挿通して、この支軸の下端部を下刃体に係止するとともに、この支軸の上端部を上刃体上から突出させ、この上刃体上で押圧操作てこに設けた支持部と、この支軸の上端部に設けた支持部とを互いに連結し、この押圧操作てこにより上刃体を上下両刃体の弾性力に抗して押さえて上刃先と下刃先とを互いに圧接させ得る爪切りにおいて、前記支軸を合成樹脂材により成形し、
前記支軸を成形する合成樹脂材は、
ポリアミドまたはポリプロピレンまたは芳香族ナイロンに対し、
含有物として、グラスファイバーあるいはミネラルファイバーあるいはカーボンファイバー、あるいはこのグラスファイバーとミネラルファイバーとカーボンファイバーとのうち少なくとも二つのものを組み合わせた混合ファイバーを１５％≦含有率α≦６５％の範囲で含有したものである
ことを特徴とする爪切り。
【発明の詳細な説明】
【０００１】
【発明の属する技術分野】
この発明は爪切りに関するものである。
【０００２】
【従来の技術】
実開昭６１−８２５０２号公報に示す従来の爪切りにおいては、同公報の図面に示すように、支軸５に支持部としての支持孔７が切り欠かれて貫設され、押圧操作てこ８に取着された支持部としての連結ピン１１がこの支持孔７に係入されている。
【０００３】
【発明が解決しようとする課題】
上記爪切りにおいては、支軸５に押圧操作てこ８を容易に組み付けることはできるが、切り欠かれて貫設された支持孔７の形状が原因して、押圧操作てこ８の連結ピン１１が支軸５の支持孔７から抜け落ち易くなるとともに、支持孔７の付近で支軸５の強度が弱くなる問題があった。また、このような形状の支持孔７を有する支軸５を成形することが困難であった。
【０００４】
本発明は、押圧操作てこの組み付けを容易にするばかりではなく、押圧操作てこを確実に支持するとともに、支持部の強度を高めることを目的にしている。また、支軸の成形を容易にすることを目的にしている。
【０００５】
【課題を解決するための手段及び発明の効果】
後記実施形態の図面（図１〜７に示す第一実施形態、図８，９，１０に示す他の実施形態）の符号を援用して本発明を説明する。
【０００６】
＊  請求項１の発明
この発明にかかる爪切りは、下記のように構成されている。
両刃体（１，２）と、刃体（１，２）側に設けた支持部（Ｓ）に対し支持部（Ｓ）で連結された押圧操作てこ（１２）とを備え、この押圧操作てこ（１２）により両刃体（１，２）をそれらの弾性力に抗して押さえて両刃先（３，４）を互いに圧接させ得る。
【０００７】
前記押圧操作てこ（１２）の支持部（Ｓ）と、前記刃体（１，２）側の支持部（Ｓ）とのうち、一方の支持部（Ｓ）は突部（１５）であり、他方の支持部（Ｓ）はこの突部（１５）が係入される溝部（１６）である。
【０００８】
この溝部（１６）は、突部（１５）を係脱し得る係脱口部（１７）と、突部（１５）を回動可能に支持し得る回動案内部（１８）と、この係脱口部（１７）と回動案内部（１８）との間で連続する係脱案内部（１９）とからなり、この係脱口部（１７）と係脱案内部（１９）と回動案内部（１８）との間で相対向する両側壁面（２０）と、この両側壁面（２０）間をつなぐ底壁面（２１）とを有している。
【０００９】
この発明では、刃体（１，２）側の支持部（Ｓ）に押圧操作てこ（１２）の支持部（Ｓ）を連結する場合、突部（１５）を溝部（１６）に係入するだけで良いため、刃体（１，２）と押圧操作てこ（１２）とを容易に組み付けることができる。また、突部（１５）は、係脱口部（１７）と係脱案内部（１９）とを経て回動案内部（１８）まで係入されるので、溝部（１６）に対し抜け落ちにくくなって確実に支持される。さらに、溝部（１６）で両側壁面（２０）間は底壁面（２１）によりつながれているので、支持部（Ｓ）の強度を高めることができる。
【００１０】
＊  請求項２の発明
この発明にかかる爪切りは、下記のように構成されている。
上刃先（３）を有する上刃体（１）と、この上刃先（３）に対向する下刃先（４）を有する下刃体（２）とにそれらの刃先（３，４）の付近で支軸（７）を挿通して、この支軸（７）の下端部（８）を下刃体（２）に係止するとともに、この支軸（７）の上端部（１１）を上刃体（１）上から突出させ、この上刃体（１）上で押圧操作てこ（１２）に設けた支持部（Ｓ）と、この支軸（７）の上端部（１１）に設けた支持部（Ｓ）とを互いに連結している。この押圧操作てこ（１２）により上刃体（１）を上下両刃体（１，２）の弾性力に抗して押さえて上刃先（３）と下刃先（４）とを互いに圧接させ得る。
【００１１】
前記押圧操作てこ（１２）の支持部（Ｓ）と、前記刃体（１，２）側の支持部（Ｓ）とのうち、一方の支持部（Ｓ）は突部（１５）であり、他方の支持部（Ｓ）はこの突部（１５）が係入される溝部（１６）である。
【００１２】
この溝部（１６）は、突部（１５）を係脱し得る係脱口部（１７）と、突部（１５）を回動可能に支持し得る回動案内部（１８）と、この係脱口部（１７）と回動案内部（１８）との間で連続する係脱案内部（１９）とからなり、この係脱口部（１７）と係脱案内部（１９）と回動案内部（１８）との間で相対向する両側壁面（２０）と、この両側壁面（２０）間をつなぐ底壁面（２１）とを有している。
【００１３】
この発明では、支軸（７）の支持部（Ｓ）に押圧操作てこ（１２）の支持部（Ｓ）を連結する場合、突部（１５）を溝部（１６）に係入するだけで良いため、支軸（７）と押圧操作てこ（１２）とを容易に組み付けることができる。また、突部（１５）は、係脱口部（１７）と係脱案内部（１９）とを経て回動案内部（１８）まで係入されるので、溝部（１６）に対し抜け落ちにくくなって確実に支持される。さらに、溝部（１６）で両側壁面（２０）間は底壁面（２１）によりつながれているので、支持部（Ｓ）の強度を高めることができる。
【００１４】
＊  請求項３の発明
この発明にかかる爪切りは、下記のように構成されている。
上刃先（３）を有する上刃体（１）と、この上刃先（３）に対向する下刃先（４）を有する下刃体（２）とにそれらの刃先（３，４）の付近で支軸（７）を挿通して、この支軸（７）の下端部（８）を下刃体（２）に係止するとともに、この支軸（７）の上端部（１１）を上刃体（１）上から突出させ、この上刃体（１）上で押圧操作てこ（１２）に設けた両支持腕部（１３）間の支持凹部（１４）にこの支軸（７）の上端部（１１）を挿入し、この両支持腕部（１３）に設けた支持部（Ｓ）と、この支軸（７）の上端部（１１）に設けた両支持部（Ｓ）とを互いに連結している。この押圧操作てこ（１２）により上刃体（１）を上下両刃体（１，２）の弾性力に抗して押さえて上刃先（３）と下刃先（４）とを互いに圧接させ得る。
【００１５】
前記押圧操作てこ（１２）の両支持腕部（１３）の支持部（Ｓ）と、前記支軸（７）の両支持部（Ｓ）とのうち、一方の両支持部（Ｓ）は突部（１５）であり、他方の両支持部（Ｓ）はこの突部（１５）が係入される溝部（１６）である。
【００１６】
この溝部（１６）は、突部（１５）を係脱し得る係脱口部（１７）と、突部（１５）を回動可能に支持し得る回動案内部（１８）と、この係脱口部（１７）と回動案内部（１８）との間で連続する係脱案内部（１９）とからなり、この係脱口部（１７）と係脱案内部（１９）と回動案内部（１８）との間で相対向する両側壁面（２０）と、この両側壁面（２０）間をつなぐ底壁面（２１）とを有している。
【００１７】
この発明では、支軸（７）の両支持部（Ｓ）に押圧操作てこ（１２）の両支持腕部（１３）の支持部（Ｓ）を連結する場合、両突部（１５）を両溝部（１６）に係入するだけで良いため、支軸（７）と押圧操作てこ（１２）とを容易に組み付けることができる。また、突部（１５）は、係脱口部（１７）と係脱案内部（１９）とを経て回動案内部（１８）まで係入されるので、溝部（１６）に対し抜け落ちにくくなって確実に支持される。さらに、溝部（１６）で両側壁面（２０）間は底壁面（２１）によりつながれているので、支持部（Ｓ）の強度を高めることができる。
【００１８】
＊  請求項４の発明
この発明は、請求項３の発明を前提として下記のように構成されている。
前記支持部（Ｓ）としての突部（１５）は押圧操作てこ（１２）の支持凹部（１４）で両支持腕部（１３）に設けられて相対向し、前記支持部（Ｓ）としての溝部（１６）は支軸（７）の外周両側に設けられて突部（１５）に対向している。
【００１９】
この発明では、押圧操作てこ（１２）の両支持腕部（１３）の突部（１５）を支軸（７）の両溝部（１６）に係入するだけで良いため、支軸（７）と押圧操作てこ（１２）とを容易に組み付けることができる。また、両突部（１５）は、係脱口部（１７）と係脱案内部（１９）とを経て回動案内部（１８）まで係入されるので、両溝部（１６）に対し抜け落ちにくくなって確実に支持される。さらに、両溝部（１６）で両側壁面（２０）間は底壁面（２１）によりつながれているので、支軸（７）の強度を高めることができる。
【００２０】
＊  請求項５の発明
この発明は、請求項４の発明を前提として下記のように構成されている。
前記支軸（７）の両溝部（１６）は係脱口部（１７）と係脱案内部（１９）と回動案内部（１８）とにわたり底壁（２３）で互いに隔てられている。この両溝部（１６）の底壁面（２１）は係脱口部（１７）と係脱案内部（１９）と回動案内部（１８）との間でこの底壁（２３）に設けられている。この発明では、請求項４の発明の効果に加え、支軸（７）の強度をより一層高めることができる。
【００２１】
＊  請求項６の発明
この発明は、請求項５の発明を前提として下記のように構成されている。
前記両溝部（１６）の底壁面（２１）間の間隔である底壁（２３）の厚み（Ｔ）は、係脱口部（１７）側が回動案内部（１８）側よりも大きくなっている。この発明では、請求項５の発明の効果に加え、両突部（１５）が両溝部（１６）に対しより一層抜け落ちにくくなって確実に支持される。
【００４９】
＊  請求項７の発明（特に図１０に示す他の実施形態に対応）
この発明にかかる爪切りは、下記のように構成されている。
上刃先（３）を有する上刃体（１）と、この上刃先（３）に対向する下刃先（４）を有する下刃体（２）とにそれらの刃先（３，４）の付近で支軸（７）を挿通して、この支軸（７）の下端部（８）を下刃体（２）に係止するとともに、この支軸（７）の上端部（１１）を上刃体（１）上から突出させ、この上刃体（１）上で押圧操作てこ（１２）に設けた両支持腕部（１３）間の支持凹部（１４）にこの支軸（７）の上端部（１１）を挿入し、この両支持腕部（１３）に設けた支持部（Ｓ）と、この支軸（７）の上端部（１１）に設けた支持部（Ｓ）とを互いに連結している。この押圧操作てこ（１２）により上刃体（１）を上下両刃体（１，２）の弾性力に抗して押さえて上刃先（３）と下刃先（４）とを互いに圧接させ得る。
【００５０】
前記押圧操作てこ（１２）の両支持腕部（１３）の支持部（Ｓ）は、この押圧操作てこ（１２）の支持凹部（１４）で両支持腕部（１３）に設けられて相対向する突部（１５）である。前記支軸（７）の支持部（Ｓ）は、支軸（７）の外周に設けられてこの突部（１５）が係入される溝部（１６）である。
【００５１】
この溝部（１６）は、支軸（７）に対し周方向の全体に連続して設けられ、突部（１５）を係脱し得る係脱口部（１７）と、突部（１５）を回動可能に支持し得る回動案内部（１８）とを有している。
【００５２】
この発明では、押圧操作てこ（１２）の両支持腕部（１３）の突部（１５）を支軸（７）の溝部（１６）に係入するだけで良いため、支軸（７）と押圧操作てこ（１２）とを容易に組み付けることができる。しかも、溝部（１６）に対し周方向の任意位置から両突部（１５）を容易に係入することができる。
【００５３】
＊  請求項８の発明
この発明にかかる爪切りは、下記のように構成されている。
上刃先（３）を有する上刃体（１）と、この上刃先（３）に対向する下刃先（４）を有する下刃体（２）とにそれらの刃先（３，４）の付近で支軸（７）を挿通して、この支軸（７）の下端部（８）を下刃体（２）に係止するとともに、この支軸（７）の上端部（１１）を上刃体（１）上から突出させ、この上刃体（１）上で押圧操作てこ（１２）に設けた支持部（Ｓ）と、この支軸（７）の上端部（１１）に設けた支持部（Ｓ）とを互いに連結している。この押圧操作てこ（１２）により上刃体（１）を上下両刃体（１，２）の弾性力に抗して押さえて上刃先（３）と下刃先（４）とを互いに圧接させ得る。前記支軸（７）を合成樹脂材により成形した。前記支軸（７）を成形する合成樹脂材は、ポリアミドまたはポリプロピレンまたは芳香族ナイロンに対し、含有物として、グラスファイバーあるいはミネラルファイバーあるいはカーボンファイバー、あるいはこのグラスファイバーとミネラルファイバーとカーボンファイバーとのうち少なくとも二つのものを組み合わせた混合ファイバーを１５％≦含有率（α）≦６５％の範囲で含有したものである。この発明では、複雑な形状をなす支軸（７）にあってもその成形を容易に行なうことができるとともに、成形精度も良くすることができる。また、爪切りを軽量化することができる。さらに、合成樹脂材により使用時の衝撃を吸収して和らげることができる。
【００６３】
【発明の実施の形態】
以下、本発明の第一実施形態にかかる爪切りを図１〜７を参照して説明する。
＜爪切りの概要＞
図１（ａ）に示すように、上刃体１と下刃体２とは、それぞれ板状をなし、それらの基端部１ａ，２ａで互いに取着されて接近離間する上下方向の弾性を有している。この上刃体１の先端部と下刃体２の先端部とには相対向する刃先３，４が形成され、この上刃先３と下刃先４とは弾性力により互いに離間している。この上刃体１と下刃体２とにはそれらの刃先３，４の付近で円形状の支持孔５，６が上下方向へ貫設されている。
【００６４】
前記上刃体１の支持孔５と下刃体２の支持孔６とには図１（ｂ）に示す支軸７（後で詳述）が挿通されている。この支軸７は、その下端部にある大径の頭部８と、この頭部８から段差部９を介して上方へ延設された小径の軸部１０とからなる。この頭部８は下刃体２の下側で支持孔６の周縁に係止されている。この軸部１０の上端部１１は支持孔５から上刃体１の上側に突出している。
【００６５】
図１（ｃ）に示す押圧操作てこ１２（後で詳述）は前記上刃体１の上側に載置されている。この押圧操作てこ１２においてその先端部には二股状の支持腕部１３が形成されているとともに、この両支持腕部１３間に支持凹部１４が形成され、この支持凹部１４に前記支軸７の上端部１１が挿入されている。
【００６６】
この押圧操作てこ１２の両支持腕部１３とこの支軸７の上端部１１とが支持部Ｓ（後で詳述）で互いに連結されている。
＜前記支軸７の材質及び前記押圧操作てこ１２の材質＞
この支軸７と押圧操作てこ１２とはいずれも合成樹脂材により一体成形されている。この合成樹脂材は、下記の含有物を少なくとも含有するポリアミドまたはポリプロピレンまたは芳香族ナイロンである。この含有物は、グラスファイバーあるいはミネラルファイバーあるいはカーボンファイバーであり、さらにはこのグラスファイバーとミネラルファイバーとカーボンファイバーとのうち少なくとも二つのものを組み合わせた混合ファイバーである。これらの含有物の含有率をαとした場合、１５％≦α≦６５％に設定したが、４０％≦α≦６０％に設定することが好ましい。これらの合成樹脂材を利用すれば、（１）湿潤後や高温時に強度や剛性が高いこと、剛性材として衝撃強度や破壊伸びが高いこと、疲労強度が優れていることなど、高い強度と剛性とを有し、（２）型温８０〜１１０℃で射出成形が可能であること、金型やスクリューやシリンダーの摩耗が小さいことなど、流動性と外観性とが良く、（３）金属に対する自己摩耗量が小さいことなど、耐摩耗性が良くなる等、優れた特性を奏する。
【００６７】
＜前記支軸７と前記押圧操作てこ１２とそれらの間の連結構造＞
前記押圧操作てこ１２の支持凹部１４で両支持腕部１３には突部１５（支持部Ｓ）が形成されて相対向している。前記支軸７の頭部８及び軸部１０はそれぞれ断面円形状に形成されている。この軸部１０の外周両側には前記両突部１５に対向する溝部１６（支持部Ｓ）が１８０度間隔をあけて形成され、この両溝部１６にこの両突部１５が係入されている。
【００６８】
＊  図１（ｂ）及び図２，３に示す前記溝部１６
この溝部１６は、前記突部１５を係脱し得る係脱口部１７と、この突部１５を回動可能に支持し得る回動案内部１８と、この係脱口部１７と回動案内部１８との間で連続する係脱案内部１９とからなる。この溝部１６は、この係脱口部１７と係脱案内部１９と回動案内部１８との間で相対向する両側壁面２０と、この係脱口部１７と係脱案内部１９と回動案内部１８との間でこの両側壁面２０間をつなぐ底壁面２１と、この底壁面２１に面する開放部２２とを有している。この両溝部１６は係脱口部１７と係脱案内部１９と回動案内部１８とにわたり互いに共有する一つの底壁２３で隔てられている。一方の溝部１６の係脱口部１７と係脱案内部１９と回動案内部１８とは、それぞれ、他方の溝部１６の係脱口部１７と係脱案内部１９と回動案内部１８とに対しこの底壁２３で区画されている。この両溝部１６の底壁面２１は係脱口部１７と係脱案内部１９と回動案内部１８との間でこの底壁２３の両側に設けられている。この両溝部１６において両側壁面２０間の中心線は、係脱口部１７と係脱案内部１９と回動案内部１８とにわたり延設され、係脱口部１７を通る中心線１７ａと、係脱案内部１９を通る中心線１９ａと、回動案内部１８を通る中心線１８ａとを有し、係脱口部１７から係脱案内部１９にわたり支軸７の軸線方向７ａに対し直交する方向へ延びる中心線１７ａ，１９ａと、係脱案内部１９から回動案内部１８にわたり支軸７の軸線方向７ａへ延びる中心線１９ａ，１８ａとを含む。この両溝部１６の両側壁面２０は互いに外側へ次第に広がるように傾斜し、この両側壁面２０間の間隔Ｗは、両溝部１６で底壁面２１に面する開放部２２側が底壁面２１側よりも大きくなっている。
【００６９】
前記両溝部１６の底壁面２１間の間隔である底壁２３の厚みをＴ、この両溝部１６で底壁面２１に面する開放部２２間の間隔である支軸７の軸部１０の外径をＤ10、厚みＴ／外径Ｄ10の値をＡとした場合、０≦Ａ≦０．５の範囲に設定する。この実施形態の両溝部１６において底壁２３は係脱口部１７と係脱案内部１９と回動案内部１８とにわたり全体に設けられているが、例えば、係脱口部１７と係脱案内部１９の一部とにのみ底壁２３を設けて係脱案内部１９の一部及び回動案内部１８の底壁２３を省略して両溝部１６を貫通させてもよい。底壁２３のない場合には、Ｔ＝０となってＡ＝０となる。この値Ａについては、０．２≦Ａ≦０．４の範囲に設定することが好ましい。
【００７０】
前記両溝部１６の回動案内部１８における両側壁面２０間の間隔をＷ、この両側壁面２０間の中心線１８ａに対し直交する方向における支軸７の軸部１０の外径をＤ10、間隔Ｗ／外径Ｄ10の値をＢとした場合、０．１５≦Ｂ≦０．８の範囲に設定する。この値Ｂについては、０．４≦Ｂ≦０．７の範囲に設定することが好ましい。
【００７１】
前記支軸７において、軸線方向７ａに対し直交する方向における頭部８の外径Ｄ8 は、この方向における軸部１０の外径Ｄ10よりも大きくなっており、軸線方向７ａにおける頭部８の幅をＨ、軸線方向７ａにおける軸部１０の長さをＬ、幅Ｈ／長さＬの値をＣとした場合、０．０５≦Ｃ≦０．３の範囲に設定する。この値Ｃについては、０．１≦Ｃ≦０．２５の範囲に設定することが好ましい。また、前記支軸７において頭部８と軸部１０との間の段差部９でその外周全体にアール２４が形成されている。このアール２４の半径をｒとした場合、０．１ｍｍ≦ｒ≦３ｍｍの範囲に設定する。この値ｒについては、０．２ｍｍ≦ｒ≦１．５ｍｍの範囲に設定することが好ましい。
【００７２】
そのほか、前記両溝部１６の底壁２３の厚みＴについては、底壁面２１が係脱口部１７側から回動案内部１８側へ向かうに従い傾斜するように又は段差状に形成されて、係脱口部１７側が回動案内部１８側よりも僅かに大きくなっている。換言すれば、両溝部１６の深さは、係脱口部１７側が回動案内部１８側よりも僅かに浅くなっている。また、前記両溝部１６において両側壁面２０間の間隔Ｗについては、係脱口部１７側が係脱案内部１９側や回動案内部１８側よりも大きくなっている。さらに、前記支軸７の頭部８には回り止め凹部２５が形成されている。
【００７３】
＊  図１（ｃ）及び図４に示す前記突部１５
この突部１５は、基端部２６から先端部２７にわたり設けられた外周面２８と、先端部２７に設けられた端面２９とを有している。この両突部１５において軸線方向１５ａに対し直交する方向へ切断された断面は円形状をなす。この外周面２８は軸線方向１５ａに対し傾斜し、この突部１５の基端部２６の外周面２８の外径Ｄ26はこの突部１５の先端部２７の外周面２８の外径Ｄ27よりも大きくなっている。そのため、この突部１５において軸線方向１５ａに対し直交する方向へ切断した断面積については、基端部２６側が先端部２７側よりも次第に大きくなっている。
【００７４】
前記両突部１５において、基端部２６の外周面２８の外径をＤ26、この基端部２６から先端部２７までの軸線方向１５ａの長さをＭ、外径Ｄ26／長さＭの値をＥとした場合、１≦Ｅ≦３の範囲に設定する。この値Ｅについては、１．５≦Ｅ≦２．５の範囲に設定することが好ましい。
【００７５】
前記両突部１５において、一方の突部１５の基端部２６から先端部２７までの軸線方向１５ａの長さＭと他方の突部１５の基端部２６から先端部２７までの軸線方向１５ａの長さＭとの和をＮ（Ｍ＋Ｍ）、両突部１５の先端部２７の端面２９間に設けた間隙３０の寸法であるこの両端面２９間の間隔Ｐを、長さ和Ｎ／間隔Ｐの値をＦとした場合、１≦Ｆ≦３の範囲に設定する。この値Ｆについては、１．３≦Ｆ≦２．３の範囲に設定することが好ましい。
【００７６】
＊  前記突部１５と前記溝部１６との連結手順及びそれらの支持状態
図５（ａ）に示すように、支軸７の頭部８にある回り止め凹部２５に固定ピン（図示せず）を挿入して支軸７を位置決めするとともに、上下両刃体１，２の刃先３，４を互いに接近させるように上刃体１を押し下げた状態にする。その状態で、この上刃体１の上側に押圧操作てこ１２の両支持腕部１３を当てがい、この上刃体１の上側で支軸７の軸部１０の上端部１１にある両溝部１６に対しこの両支持腕部１３にある突部１５を近付ける。
【００７７】
次に、図５（ｂ）及び図６（ａ）に示すように、この軸部１０の上端部１１をこの両支持腕部１３間の支持凹部１４に挿入しながら、この両突部１５をこの両溝部１６の係脱口部１７に係入する。その係入初期状態では、両溝部１６の両側壁面２０と両突部１５の外周面２８、並びに、両溝部１６の底壁面２１と両突部１５の端面２９とが、それぞれ互いに沿うように近接する。
【００７８】
さらに、図５（ｃ）及び図６（ｂ）に示すように、前記両突部１５を前記両溝部１６の係脱口部１７から係脱案内部１９を経て回動案内部１８に係入する。その係入完了状態で、両突部１５は、上下両刃体１，２の弾性力により回動案内部１８の側壁面２０に圧接され、両溝部１６の係脱案内部１９側へ移動しないように規制されている。
【００７９】
＊  爪切りの使用例
図１（ａ）に示す不使用状態では、上刃体１の上側に押圧操作てこ１２が倒されて重ねられ、上下両刃体１，２が弾性力により互いに上下方向へ広げられて、上刃体１の弾性力を押圧操作てこ１２の両支持腕部１３を介してその両突部１５と支軸７の軸部１０の両溝部１６とで受けるとともに、下刃体２の弾性力を支軸７の頭部８で受け、上刃先３と下刃先４とが互いに離間している。
【００８０】
次に、図７（ａ）に示す使用前状態のように、上刃体１の上側で押圧操作てこ１２を支軸７とともに１８０度回動させて上刃体１に対し上方へ傾斜させる。
さらに、図７（ｂ）に示す使用後状態のように、この押圧操作てこ１２により上刃体１を上下両刃体１，２の弾性力に抗して押さえると、上刃先３と下刃先４とが互いに接近して圧接される。
【００８１】
上記いずれの状態でも、押圧操作てこ１２の両支持腕部１３における両突部１５は、支軸７の軸部１０における両溝部１６の回動案内部１８内で、押圧操作てこ１２の動きに追従して動く。
【００８２】
〔他の実施形態〕
＊  図８に示す他の実施形態
前記第一実施形態の両溝部１６において、係脱口部１７は軸線方向７ａに対し直交する方向の両側のうち片側のみに設けられている。その構成に代えて、両溝部１６で係脱口部１７を軸線方向７ａに対し直交する方向の両側に設ける。
【００８３】
＊  図９に示す他の実施形態
前記第一実施形態の押圧操作てこ１２にあって両突部１５を含めた全体は、合成樹脂材により成形されている。その構成に代え、図９（ａ）に示すように、押圧操作てこ１２の主体部分を合成樹脂材により成形する場合、金属製の突部素材３１を両支持腕部１３にインサートして一体的に設けた後、図９（ｂ）に示すように、この突部素材３１を切断して両突部１５とする。
【００８４】
＊  図１０に示す他の実施形態
前記第一実施形態において溝部１６は支軸７の軸部１０の外周両側に設けられている。その構成に代え、溝部１６を支軸７の軸部１０に対し周方向の全体に連続して設ける。この溝部１６において、軸線方向７ａの方向の上下両縁のうち、上縁には波形状の凹凸部３２を形成し、この上縁の凹部３２ａと下縁との間には係脱口部１７を兼用する回動案内部１８を設けている。押圧操作てこ１２の両支持腕部１３の突部１５はこの係脱口部１７から回動案内部１８に係入される。
【００８５】
＊  図示しないが、支軸７の軸部１０に対し周方向の全体に連続して設けた溝部を下記のように構成する。
支軸７の軸部１０で横溝部を周方向へ延設し、この横溝部において軸線方向７ａの上下両縁のうち上縁から複数の縦溝部を軸線方向７ａへ延ばして周方向へ並設する。この横溝部は係脱口部と係脱案内部とを兼用する。この縦溝部は係脱案内部と回動案内部とを兼用する。押圧操作てこ１２の両支持腕部１３の突部１５はこの係脱口部から係脱案内部を経て回動案内部に係入される。
【００８６】
＊  前記実施形態では、支軸７に両溝部１６が形成され、押圧操作てこ１２の両支持腕部１３に突部１５が形成されている。図示しないが、この構成に代えて、支軸７に両突部を形成し、押圧操作てこ１２の両支持腕部１３に溝部を形成する。
【００８７】
＊  図示しないが、押圧操作てこ１２の両支持腕部１３の突部１５の形状を変更する。例えば、前記実施形態の突部１５は円錐台形状になっているが、これを円柱形状や半球形状にしたり、断面円形状に代えて断面楕円形状にする。
【図面の簡単な説明】
【図１】  （ａ）は第一実施形態にかかる爪切りにおいて不使用状態を示す正面図であり、（ｂ）はこの爪切りの支軸を示す斜視図であり、（ｃ）はこの爪切りの押圧操作てこを示す斜視図である。
【図２】  （ａ）はこの爪切りの支軸を示す正面図であり、（ｂ）は（ａ）にかかる支軸の左側面図であり、（ｃ）は（ａ）にかかる支軸の底面図である。
【図３】  （ａ）は図２（ａ）のＸ１−Ｘ１線断面図であり、（ｂ）は図２（ａ）のＸ２−Ｘ２線断面図であり、（ｃ）は図２（ａ）のＸ３−Ｘ３線断面図である。
【図４】  （ａ）はこの爪切りの押圧操作てこを示す部分平面図であり、（ｂ）は（ａ）にかかる押圧操作てこの左側面図である。
【図５】  この爪切りの組付けにおいて押圧操作てこの両突部を支軸の両溝部に係入する過程を示す部分断面図である。
【図６】  （ａ）は図５（ｂ）のＹ１−Ｙ１線断面図であり、（ｂ）は図５（ｃ）のＹ２−Ｙ２線断面図である。
【図７】  （ａ）は第一実施形態にかかる爪切りにおいて使用前状態を示す正面図であり、（ｂ）は同じく使用後状態を示す正面図である。
【図８】  （ａ）は他の実施形態の爪切りにおいて支軸を示す正面図であり、（ｂ）は（ａ）にかかる支軸の左側面図であり、（ｃ）は（ａ）のＺ１−Ｚ１線断面図であり、（ｄ）は（ａ）のＺ２−Ｚ２線断面図である。
【図９】  （ａ）は他の実施形態にかかる爪切りの押圧操作てこにおいて両突部を形成する途中過程を示す断面図であり、（ｂ）はこの両突部を示す断面図である。
【図１０】  （ａ）は他の実施形態の爪切りにおいて支軸の溝部と押圧操作てこの両突部とを示す正面図であり、（ｂ）は（ａ）のＺ３−Ｚ３線断面図である。
【符号の説明】
１…上刃体、２…下刃体、３…上刃先、４…下刃先、７…支軸、７ａ…軸線方向、８…頭部（下端部）、９…段差部、１０…軸部、１１…支軸上端部、１２…押圧操作てこ、１３…支持腕部、１４…支持凹部、１５…突部（支持部Ｓ）、１５ａ…軸線方向、１６…溝部（支持部Ｓ）、１７…係脱口部、１７ａ…中心線、１８…回動案内部、１８ａ…中心線、１９…係脱案内部、１９ａ…中心線、２０…側壁面、２１…底壁面、２２…開放部、２３…底壁、２４…アール、２５…回り止め凹部、２６…基端部、２７…先端部、２８…外周面、２９…端面、３０…間隙。
【図１】
0003790666.tif 000002
【図２】
0003790666.tif 000003
【図３】
0003790666.tif 000004
【図４】
0003790666.tif 000005
【図５】
0003790666.tif 000006
【図６】
0003790666.tif 000007
【図７】
0003790666.tif 000008
【図８】
0003790666.tif 000009
【図９】
0003790666.tif 000010
【図１０】
0003790666.tif 000011